【事件の表示】
　特願２００３−２０６５７１「ペンダント」拒絶査定不服審判事件〔平成１７年　３月　３日出願公開、特開２００５−　５２２３０〕について、次のとおり審決する。
【結　論】
　本件審判の請求は、成り立たない。
【理　由】
１．手続の経緯 
　本願は、平成１５年８月７日の出願であって、平成１７年１１月３０日付けで拒絶査定がなされ、平成１７年１２月２１日に拒絶査定不服審判の請求がなされるとともに、平成１８年１月１８日付けで手続補正がなされたものである。 
　 
２．平成１８年１月１８日付けの手続補正についての補正却下の決定 
　[結論] 
　平成１８年１月１８日付け手続補正（以下、「本件補正」という。）を却下する。 
　 
　[理由] 
（１）補正後の本願発明 
　本件補正により、特許請求の範囲の請求項１は、
 「
背面に定着部を有し、
前記装飾片に取り付けられる宝石の直径とほぼ同じ大きさで少なくとも大きい
　本件補正は、請求項１に記載した発明を特定するために必要な事項である「台座」に、「背面に定着部を有し」との限定を付加し、さらに「台座の直径」に、「台座の直径が前記装飾片に取り付けられる宝石の直径とほぼ同じ大きさで」との限定を付加するものであり、かつ、補正後の請求項１に記載された発明は、補正前の請求項１に記載された発明と、産業上の利用分野及び解決しようとする課題が同一であるので、本件補正は、平成１８年法律第５５号改正附則第３条第１項によりなお従前の例によるとされる同法による改正前特許法第１７条の２第４項第２号の特許請求の範囲の減縮を目的とするものに該当する。
　 
　そこで、本件補正後の前記請求項１に係る発明（以下、「本願補正発明」という。）が特許出願の際独立して特許を受けることができるものであるか（平成１８年法律第５５号改正附則第３条第１項によりなお従前の例によるとされる同法による改正前特許法第１７条の２第５項において準用する同法第１２６条第５項の規定に適合するか）について、以下に検討する。 
　 
（２）引用刊行物 
　原査定の拒絶の理由に引用された、本願の出願前に日本国内において頒布された刊行物である特開２００２−２８２０２０号公報（「引用刊行物１」という。）には、図面とともに、以下の事項が記載されている。 
（ア）「上方にチェーン連結部を有した台座の背面に平坦な定着部を設け、該台座の正面略中央には隆起状の吊下部を形成すると共に該吊下部先端には吊下孔を形成し、該吊下孔には装飾片を揺動可能に吊下げることを特徴とする装身具用ペンダント。」（特許請求の範囲の請求項１）
（イ）「本発明は、宝石などを取りつけた装飾片を吊下げて形成する装身具用ペンダントに関する。」（段落【０００１】） 
（ウ）「以下、本発明にかかる装身具用ペンダントの実施形態を図面により説明する。図３は本発明の第１の実施形態を示すもので、第１台座に第１装飾片を取付けた第１装身具用ペンダントの正面図、図４はその側面図である。 
 　第１装身具用ペンダント１０は、例えば、金、銀、プラチナなどの貴金属や真鍮などの金属を原材料として形成した台座１１と、例えば、ダイアモンド、エメラルド、ルビーなどの宝石を取り付けた第１装飾片３０と、該装飾片３０を胸元Ａへ吊るすために、前記同様の貴金属などを原材料として形成したネックレス用チェーン６０とから構成される（図１３参照）。 
 　第１装身具用ペンダント１０の台座１１は、図３に示すごとく、正面から見て全体を略縦長の逆三角形状に形成され、幅広の頭部１２に設けたチェーン連結部１３には幅方向に貫通孔１３が形成され、該貫通孔１３にはネックレス用チェーン６０が挿通されて使用される。・・・台座１１は、逆三角形状に形成されていることにより、吊下げられる装飾片３０の寸法Ｌと上下方向の全体の長さＸ、横幅Ｙとのバランス保つことができ、装飾片３０が吊り下げられても、安定して常に下方に位置させることができる（図８参照）。 
 　１５は、図４に示すごとく、台座１１の背面に設けた平坦な定着部１５で、該定着部１５を側面から見た場合には上下方向に緩やかなテーパー状に形成され、使用時においては胸元の曲線Ａと一致するため、定着部１５全体と胸元Ａとを広く面接触させることができる。したがって、使用中に体の動きがあっても、台座１１は安定し、装飾片３０を常に正面に向かせて使用することができる（図１４参照）。」（段落【０００７】〜【００１１】）
（エ）「１７は、前記台座１１の正面略中央に設けた吊下部で、該吊下部の先端部１７ａには装飾片３０の輪環３６を挿通させる吊下孔１８が形成されている。この吊下部１７は、側面から見て先端部１７ａを最高位の高さになるように頭部１２から先端部１７ａまで隆起状に形成されている。一方、吊下部１７には、先端部１７ａより下部は後方に窪んで湾曲部１９が形成されている。
　したがって、装飾片４０が吊下孔１８に吊下げられても、台座１１の定着部１５の一端より一定の距離Ｚで確保されると共に、装飾片３０との間に空間部Ｓが形成されているので、装飾片４０が前後左右に自由に揺動し、装飾片４０の一部が台座１１や胸元Ａに当ることはない。
　第１装飾片３０は、図３、４に示すごとく、宝石３１の周辺ガードル部３２に巻装する係止環３５と、該係止環３５の上部に輪環３６を取付けて形成される。この輪環３６を前記台座１１の吊下孔１８に挿通、係合し、第１装飾片３０を前後左右に揺動可能に吊下げる。
　第１装飾片３０を輪環３６により吊下げることにより、吊下孔１８との摩擦抵抗を少なくすることができるので、装飾片３０は、台座１１に対し前後左右に自由に搖動し、宝石３１を美しく輝かせることができる。」（段落【００１２】〜【００１５】） 
（オ）図４には、吊下孔１８には宝石を取り付けた装飾片３０を宝石後方の略円錐形状部分が台座１１と対面する方向に吊下げる点及び吊り下げ部１７の先端より台座１１の定着部１５までの高さが装飾片３０に取り付けられる宝石の深さより長い点が図示されている。 
　
　以上の記載事項及び図示内容を総合すると、上記引用刊行物１には、以下の発明（「引用発明」という。）が記載されている。 
「背面に定着部１５を有し、上方にチェーン連結部１３を形成した台座１１であって、その正面略中央に隆起状に形成される吊下部１７において、側面から見て最高位の高さになるよう形成された先端部１７ａに吊下孔１８を形成し、前記吊下孔１８には宝石３１を取り付けた装飾片３０を該宝石３１後方の略円錐形状部分が前記台座１１と対面する方向に吊下げるペンダントにおいて、前記吊り下げ部１７の先端より前記台座１１の定着部１５までの高さが前記装飾片３０に取り付けられる宝石３１の深さより長いペンダント。」
　
　また、原査定の拒絶の理由に引用された、本願の出願前に頒布された刊行物である米国特許明細書第４０２８９０８号（「引用刊行物２」という。）には、図面とともに、以下の事項が記載されている。  
（カ）「This invention relates generally to charms and more particularly to a miniature school ring charm or prom favor. 」『この発明は、一般のチャームに関し、特に小型のスクールリングチャームあるいは、ダンスパーティー小物に関する。』（『』内は当審における仮訳。以下同じ。）（明細書第１欄第６行〜８行）
（キ）「It is the general object of the invention to provide a school ring charm which provides a clear and attractive display of information having school-related significance.  
 Briefly stated, the general object of the invention is achieved by utilizing the finger area of the ring for the display of the information of school-related significance. In accordance with the invention a member providing information of school-related significance is attached to the center of the shank of the ring to freely dangle within the finger area of the ring. This dangling freely-moving type of mounting provides an eye-catching and clearly visible display of the member providing the information of school-related significance. 」『学校に関連した重要な情報について明瞭で魅力的な飾りを提供するスクールリングチャームを提供することが一般的な発明の目的である。簡潔に述べると、一般的な発明の目的は、学校に関連した重要な情報を飾るリングの指エリアの利用により達成される。発明に従って、自由にリングの指エリア内に吊り下げられるために、学校に関連した重要な情報を提供する部材は、リングのシャンクの中心に付けられる。この自由に動くように吊り下げられる支持方式は、学校に関連した重要な情報が目立ち、はっきり目に見える飾りとして提供される。』（明細書第１欄第２７行〜４０行） 
（ク）「The ring 10 is shown in the inverted position in FIGS. 1 and 2 and this is its normal position as displayed on a neck chain or the like.　Centrally located on the outside of the shank 12 is a small loop 16 which is utilized to connect the ring to a neck chain 18 by means of an eyelet 20. 
 In accordance with the invention, a member 22 providing information of school-related significance is mounted on the ring 10 to be positioned within the finger area 24 of the ring 10.」 『リング１０は、図１および２では逆さまの位置で示される。また、これは、ネックチェーンまたは同種のものに飾られる場合のノーマル位置となる。シャンク１２の外側状の中心に配置される、小さなループ１６は、ネックチェーン１８の小穴２０のリングに接続して利用される。発明に従って、学校に関連した重要な情報を提供する部材２２は、リング１０の指エリア２４内に位置されてリング１０に取り付けられる。』（明細書第２欄第１８行〜２７行）
（ケ）「FIG. 3 illustrates a miniature school ring 10' having another type of member for displaying information of school-related significance, namely, a disk 22' engraved on one face with information such as the school letter and name and the class numeral.」『図３は、学校に関連した重要な情報の表示のために別のタイプの部材(すなわち1つの面に、学校文字および名前、およびクラス数字のような情報が彫られたディスク２２´)を有する小型のスクールリング１０´を例示する。』（明細書第２欄第５２行〜５６行） 
（コ）「FIG. 4 illustrates a miniature school ring 10 having still another type of member for displaying information of school-related significance, namely, a faceted stone 22 in the school color. The stone 22 is provided with a loop 28 engaged by an eyelet 26 for mounting the stone 22 on the center of the shank 12 of the ring 10 in the same dangling manner as the embodiment shown in FIGS. 1 and 2. 」『図４は、学校に関連した重要な情報の表示のために別のタイプの部材、すなわちスクールカラーのファセットカットされた宝石２２”を有する、小型のスクールリング１０”を例示する。宝石２２”には、図１および２で示されるのと同じ方法で宝石２２”を、リング１０”のシャンク１２”の中心に取り付けるために穴２６”に連結される、ループ２８”が設けられている。』（明細書第２欄第６１行〜６８行） 
（サ） ＦＩＧ．２には、リング１０が筒状に形成されている点が図示されている。また、ＦＩＧ．３には、リング１０´の直径が装飾片であるディスク２２´の直径に近くした点が図示されている。また、ＦＩＧ．４には、リング１０”の直径が少なくとも取り付けられる宝石２２”の直径より大きい点が図示されている。
　
（３）対比・判断 
　本願補正発明と引用発明を対比すると、その機能及び構成からみて、後者の「定着部１５」は前者の「定着部」に、以下同様に、「チェーン連結部１３」は「チェーン連結部」に、「台座１１」は「台座」に、「吊下部１７」は「吊下部」に、「先端部１７ａ」は「先端部」に、「吊下孔１８」は「吊下孔」に、「装飾片３０」は「装飾片」に、及び「宝石３１」は「宝石」に、それぞれ相当する。 
　そうすると、両者は、
「背面に定着部を有し、上方にチェーン連結部を形成した台座であって、その正面略中央に隆起状に形成される吊下部において、側面から見て最高位の高さになるよう形成された先端部に吊下孔を形成し、前記吊下孔には宝石を取り付けた装飾片を該宝石後方の略円錐形状部分が前記台座と対面する方向に吊下げるペンダントにおいて、前記吊り下げ部の先端より前記台座の定着部までの高さが前記装飾片に取り付けられる宝石の深さより長いペンダント。」
の点で一致しており、以下の点で相違している。 
（相違点１） 
　本願発明は、台座は筒状に形成されているのに対し、引用発明は、台座（台座１１）はそのような構成を有していない点。
（相違点２） 
　本願発明は、台座の直径が装飾片に取り付けられる宝石の直径とほぼ同じ大きさで少なくとも大きいのに対し、引用発明は、台座（台座１１）と装飾片（装飾片３０）の宝石（宝石３１）とがそのような関係の大きさになっているか不明である点。
　
　上記相違点について検討する。 
（相違点１について）
 　引用刊行物２には、台座（リング１０）が筒状に形成されている点が記載されている。そして、引用刊行物２に記載された発明を引用発明に適用して上記相違点１に係る本願補正発明の発明特定事項のようにすることは当業者が容易に想到し得たことである。
（相違点２について） 
　引用刊行物２には、台座（リング１０”）の直径が宝石（宝石２２”）の直径より大きい点が記載されている（ＦＩＧ．４）。また、引用刊行物２には、台座（リング１０´）の直径が装飾片であるディスク２２´の直径に近くした点が記載されている（ＦＩＧ．３）。そして、引用刊行物２に記載された発明を引用発明に適用するに際して、台座の直径と装飾片や宝石の直径とをどのような関係にするかは、当業者がデザイン上の必要に応じて適宜なしうる事項にすぎず、上記相違点２に係る本願補正発明の発明特定事項のようにすることは当業者が容易に想到し得たことである。
　
　そして、本願補正発明による効果も、引用発明及び引用刊行物２に記載された発明から当業者が予測し得た程度のものであって、格別のものとはいえない。  
　
　したがって、本願補正発明は、引用発明及び引用刊行物２に記載された発明に基いて、当業者が容易に発明をすることができたものであるので、特許法第２９条第２項の規定により、特許出願の際独立して特許を受けることができない。
　
（４）むすび 
　以上のとおり、本願補正発明は、引用発明及び引用刊行物２に記載された発明に基いて、当業者が容易に発明をすることができたものであるから、特許法第２９条第２項の規定により特許出願の際独立して特許を受けることができないものであるから、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項の規定において読み替えて準用する同法第５３条第１項の規定により却下すべきである。 
　 
３．本願発明について 
　本件補正は上記のとおり却下されたので、本願の請求項１に係る発明（以下、「本願発明」という。）は、平成１７年１０月２１日付け手続補正書の特許請求の範囲の請求項１に記載された事項により特定される、以下のとおりのものである。 
「上方にチェーン連結部を形成した台座であって、その正面略中央に隆起状に形成される吊下部において、側面から見て最高位の高さになるよう形成された先端部に吊下孔を形成し、前記吊下孔には宝石を取り付けた装飾片を該宝石後方の略円錐形状部分が前記台座と対面する方向に吊下げるペンダントにおいて、前記台座は筒状に形成されると共に、前記吊り下げ部の先端より前記台座の定着部までの高さが前記装飾片に取り付けられる宝石の深さより長く、かつ前記台座の直径が少なくとも前記装飾片に取り付けられる宝石の直径より大きいことを特徴とするペンダント。」 
　 
４．引用刊行物 
　原査定の拒絶の理由に引用された引用刊行物、及び、その記載事項は、上記「２．（２）引用刊行物」に記載したとおりである。 
　 
５．対比・判断                                      
　本願発明は、前記２．で検討した本願補正発明から、「台座」の限定事項である「背面に定着部を有し」との構成及び「台座の直径」の限定事項である「台座の直径が前記装飾片に取り付けられる宝石の直径とほぼ同じ大きさで」との構成を省いたものである。
　そうすると、本願発明の構成要件を全て含み、さらに限定を施したものに相当する本願補正発明が、前記「２．（３）」に記載したとおり、引用発明及び引用刊行物２に記載された発明に基いて、当業者が容易に発明をすることができたものであるから、本願発明も、同様の理由により、引用発明及び引用刊行物２に記載された発明に基いて、当業者が容易に発明をすることができたものである。 
　 
６．むすび 
　以上のとおり、本願発明は、引用発明及び引用刊行物２に記載された発明に基いて、当業者が容易に発明をすることができたものであるから、特許法第２９条第２項の規定により特許を受けることができない。 
　よって、結論のとおり審決する。